(57)【特許請求の範囲】
【請求項１】
キャスタを備えるベースフレームに立設された縦フレームの上端部に、落下防止柵を備える天板を設けたナースカートにおいて、落下防止柵の柵本体は、天板の前半側平面外形に沿った平面形状の横向き柵部材と該柵部材に適宜間隔で垂下させて設けた脚部材とを有し、該脚部材はその下端側を天板裏面に回るように形成した水平部を備え、前記棚本体を天板に取付けるための支持体は、弾性を有する合成樹脂成形体により前記脚部材の下半側と水平部を嵌合する溝部と当該支持体を前記天板に固定する止着部とを備えて側断面略Ｌ状に形成したことを特徴とするナースカート。
【請求項２】
天板は縦フレームに内装されたガスシリンダにより昇降自在に形成された請求項１に記載のナースカート。
【請求項３】
止着部は、ビス止め，両面粘着パッチ，接着剤のいずれかにより止着した請求項１又は２に記載のナースカート。
【発明の詳細な説明】
【技術分野】
【０００１】
本発明はナースカートに関し、より具体的にはナースカート設けられた天板に付設される落下防止柵を備えたナースカートに関する。
【背景技術】
【０００２】
病院等の医療施設や介護施設等で用いられるナースカートとしては、特許文献１などに開示されたものが知られている。
【０００３】
公知のナースカートの一般的形態としては、四隅にキャスタを備えた平面的なベースフレームに柱状乃至枠状の縦フレームを立設し、該縦フレームの上端に、ノートタイプのパソコン等の機器や血圧計などの器材を載せる天板を設け、前記縦フレームにおける天板の下方に２〜３段の物入れとしてトレイを設けると共に、前記天板又は縦フレームに、このカートの押進用ハンドルを設けたものがある。
【０００４】
縦フレームの上端に設けられる天板には、パソコンや血圧計などの機器，器材が載せられるので、載せた機器等が移動中などに天板から滑り落ちることがないように、落下防止柵が設けられたものが多い。
【０００５】
一方、ナースカートにおいては、縦フレームに設けられる天板が、当該縦フレームに内装された昇降用ガスシリンダによって昇降できるように形成されたタイプがある。
【０００６】
この天板の昇降による高さ調節は、天板上に載置されたパソコンのキーボードを操作するのに、そのナースカートを使用する看護師の身長に合わせて自分の体格に合った天板高さを実現するため、或は、各看護師が各人のナースカートをナースセンターなどのカートターミナルに接合させて集合するとき、夫々のカートの天板の高さをカートターミナルの天板の上に重なる高さに調整するためなどにおいてなされる。
【０００７】
特に、ナースカートの天板をカートターミナルの天板の上に重なるように調整するとき、その天板を支えているガスシリンダのガス圧に抗してカート天板を押下げるには、それなりの力を入れて天板を押下げることになるが、押下げに加えた力が大き過ぎると、勢い余ってカート天板の下面がターミナル天板の上面に衝突的に当接して停まることがあり、その場合の衝突音や衝撃を緩和乃至抑制することが要望されている。
【先行技術文献】
【特許文献】
【０００８】
【特許文献１】特開２００９−２９６３２号公報
【特許文献２】特許４３４５４５０号公報
【特許文献３】特許４８４６３４５号公報
【発明の概要】
【発明が解決しようとする課題】
【０００９】
本発明は、昇降できる天板を備えたナースカートにおいて、その天板に設けられる落下防止柵の支持部材として機能すると共に、その天板を降下させたときその天板下面がカートターミナル等の天板に衝突的に当接してもその衝撃と衝撃音を緩和することができるようにした落下防止柵を備えたナースカートを提供することを、課題とする。
【課題を解決するための手段】
【００１０】
上記課題を解決することを目的としてなされた本発明ナースカートの構成は、キャスタを備えるベースフレームに立設された縦フレーム又は支柱の上端部に、落下防止柵を備えた昇降できる天板を設けたナースカートにおいて、落下防止柵の柵本体は、天板の略前半側の平面外形に沿った平面形状を有する横向き柵部材と該柵部材に適宜間隔で垂下させて設けた脚部材とを有し、該脚部材はその下端側を天板裏面に回るように形成した水平部を備え、前記棚本体を天板に取付けるための支持体は、弾性を有する合成樹脂成形体により前記脚部材の下半側と水平部を嵌合する溝部と当該支持体を前記天板に固定する止着部とを備えて側断面略Ｌ状に形成したことを特徴とするものである。
【００１１】
上記ナースカートにおいて、天板は縦フレーム又は支柱に内装されたガスシリンダにより昇降自在に形成されたものである。また、棚本体を支持するため支持体に設けられた止着部は、当該止着部を天板下面にビス止めにより固定するようにしたが、ビス止め以外の固定手段、例えば両面粘着パッチや接着剤などによる止着部としてもよい。
【発明の効果】
【００１２】
本発明は落下防止柵を設けた天板を有するナースカートにおいて、落下防止柵の柵本体は、天板の前半側平面外形に沿った平面形状の横向き柵部材と該柵部材に適宜間隔で垂下させて設けた脚部材とを有し、該脚部材はその下端側を天板裏面に回るように形成した水平部を備え、前記棚本体を天板に取付けるための支持体は、弾性を有する合成樹脂成形体により前記脚部材の下半側と水平部を嵌合する溝部と当該支持体を前記天板に固定する止着部とを備えて側断面略Ｌ状に形成したから、天板を降下させたときその天板下面がカートターミナル等の天板に衝突的に当接しても、衝突音の発生を抑制すると共に衝撃を緩和することができるから、天板上の載置物に衝撃による悪影響が及びにくくなるのみならず、院内での騒音発生を抑止できる。
【００１３】
柵本体の支持体は、弾性を有する合成樹脂成形体により形成し、かつ、断面略Ｌ状で天板の側面から突出して設けられるから、当該天板の側面が他の物体などに衝突することがあっても、その緩衝作用をする。
【図面の簡単な説明】
【００１４】
【図１】本発明に係る落下防止柵を備えたナースカートの一例を下方から見上げた斜視図。
【図２】柵本体を後方から見た斜視図。
【図３】支持体を後方上面側から見た斜視図。
【図４】支持体を前方下面側から見た斜視図。
【発明を実施するための形態】
【００１５】
図１の本発明を適用するナースカート１は、上端部に天板２を備えた左右側の２本の支柱３Ｌ，３Ｒと、両支柱３Ｌ，３Ｒの間に３段のトレイ４１，４２，４３と、前記支柱３Ｌ，３Ｒを立設したベースフレーム５を備えた基本構造を有する。
【００１６】
ここで、平面から見て大略Ｈ状をなすベースフレーム５は、該フレーム５の四隅に、４個の自在キャスタ９ａ〜９ｄが設けられている。
また、大略Ｈ状をなすベースフレーム５において、左右側は２本の縦フレーム部５ｂ、左右の縦フレーム部５ｂ，５ｂを結合する貫材は横フレーム部５ａとする。そして横フレーム部５ａは縦クレーム部５ｂ，５ｂの長さに関してカートの後方寄りにオフセットして設けられている。一方、縦フレーム部５ｂ，５ｂは、やや中高の浅いアーチ状に形成されている。横フレーム部５ａの中心部底面には、後述するストッパ１０の固定台５ｃが設けられている。なお、図１のナースカート１において、図１の左方がカートの押進方向に向いたこのカートの前方、図１の右方がカートの後方とする。
【００１７】
横フレーム５ａの中心部位の下面に設けたボックス状の固定台５ｃには、足踏式のリンク機構によりストッパ当接部１０ｃが降下，上昇するストッパ１０が設けられている。このストッパ１０は、ナースカート１を停止させた位置で、下降ベダル１０ａを踏込むとストッパ当接部１０ｃを下端に有するピストンロッド１０ｂがリンク機構の作用でバネ力（図示せず）に抗して降下されて床面に当接し、この状態がリンク機構の作用でロックされ、ナースカート１の押進を不能とする。このストッパ１０は、解除ペダル（図示せず）を踏むと前記ロックが解除されてストッパ当接部１０ｃがバネ力で上昇するようになっている。
【００１８】
前記ベースフレーム５において、横フレーム部５ａが設けられている部位の左右の縦フレーム部５ｂ，５ｂに左，右の支柱３Ｌ，３Ｒが立設されている。この支柱３Ｌ，３Ｒは、下方の基礎部分に、昇降するロッド３ａ，３ｂが内装されており、ここでは左側の支柱３Ｌのロッド３ａがガスシリンダ（図示せず）のロッドにより形成されて昇降自在である。
なお、左右の支柱３Ｌ，３Ｒにおいて、図の最上段のトレイ４１の下面側には、当該支柱３Ｌ，３Ｒを結合する貫材３Ｂが設けられている。
図示したナースカートは、ベースフレーム５に左右の支柱３Ｌ，３Ｒが設けられたものであるが、本発明が適用できるナースカートは、図示しないが、ベースフレーム５の四隅に４本の支柱を立設した形式の縦フレームを有するタイプであってもよい。この場合、ベースフレーム５も、平面Ｈ型に限られず、四角形枠状フレームであってもよい。
【００１９】
左右の支柱３Ｌ，３Ｒのロッド３ａ，３ｂの上端部には取付ブラケット３ｃ，３ｄを介して天板２の下面が固定されている。この天板２は、ロッド３ａが属するガスシリンダ（図１の左側の支柱３Ｌの下半側に内装されているが、図に表われず）の作用により、天板２の最上位置から最下位置までの、例えば２００ｍｍ前後のストローク量の昇降ができるように設けられている。なお、２００ｍｍのストローク量は一例であって、その数値は任意である。
天板２が４本支柱タイプの縦フレームに設けられたナースカートにおいても、いずれかの支柱の中、又は、バランス上支柱以外の部位にガスシリンダを設けて天板２を昇降自在にしたものがあり、本発明はこのタイプの天板２にも勿論適用することができる。
また、天板２の昇降は、ガスシリンダ以外に、ラック・ピニオン機構や送りネジを用いた機械式昇降タイプもあり、本発明はこのタイプの昇降天板にも適用できる。
【００２０】
本発明では、天板２を最上位に上げた位置で、カートターミナルを形成しているテーブル天板（図示せず）の上方にこの天板２をオーバハングさせてからその天板２をテーブル天板に当接するように降下させる。一方、天板２を最下位に下げた位置では前記ターミナルのテーブル天板の下方にこの天板２を入れることができる。上記ストローク量はこのような天板２の昇降位置を実現するために採用された。これによって、天板２の高さを選択してナースカート自体をカートターミナルのテーブルにより近付けることができる。
【００２１】
上記天板２は、その手前側（図１の右方）に、このナースカート１を押進（又は牽引も可）するためのグリップ６ａとこのグリップ６ａの両側に連続した取付部６ｂから成るハンドル６を天板２の下面から取付部６ｂを介して後方へ突出する態様で具備している。このハンドル６には、金属パイプ成形品又は合成樹脂成形品による断面が略オーバル状乃至略長円状のグリップ６ａが断面姿勢を斜めにして設けられている。グリップ６ａが略オーバル状乃至長円状で斜めの姿勢であるのは、カートを押進するときの手の握り感、乃至は掴み感を手首の角度などに無理をさせない自然なものにすること、並びに、天板２の上においたパソコン（図示せず）を立姿勢で操作するときのアームレストとして機能することを狙ったからである。
【００２２】
図１に例示したナースカートでは、上記左右の支柱３Ｌ，３Ｒの先端側に、前記トレイ４１〜４３の側面をカバーする態様で金属製ネットによるガード７ａ，７ｂが設けられている、ガード７ａ，７ｂは、ベースフレーム５の縦フレーム部５ｂ，５ｂの先端部に向って延びており、ガード７ａ，７ｂの下端部が縦フレーム部５ｂ，５ｂの上に支持されている。このガード７ａ，７ｂは、各トレイ４１〜４３の側面から収容物が逸脱したり、トレイ４１〜４３の側面がベッド枠などに衝突してトレイのスライド機構がき損されたりするのを防ぐためのものである。左右のネット７ａ，７ｂは、前方の上，下端部で連結材７ｃ，７ｄにより結合されてネットの立設強度を確保している。
【００２３】
本発明を適用するナースカートにおいて、上記天板２は、図１並びに図２〜図４に依り以下に説明する落下防止柵８を装備している。
【００２４】
公知ナースカートにおいても、その天板には落下防止柵が設けられていることは公知であり、先に挙げた特許文献１〜３にも落下防止柵が開示されている。
しかし、本発明ナースカートの落下防止柵は独自の工夫が施されたものである。
【００２５】
本発明における落下防止柵の柵本体８１は、天板２の平面から見たほぼ前半側に沿った平面大略コ状をなす形状の横方向柵部材８１ａと、その部材８１ａの下方に、適宜ピッチで垂下姿勢で設けた脚部８１ｂと、その脚部８１ｂの下半側を水平に曲げた水平部８１ｃを有する脚部材を溶接などにより接合して成る。なお、前記柵部材８１ａの末端は、前記脚部８１ｂ，水平部８１ｃと同様の脚部８１ｂ’と水平部８１ｃ’に形成されている。このようにすると、脚部材を省略しその溶接手間を省くことができる。棚部材８１ａの末端部を上記のような形態にせず、前記脚部８１ｂと水平部８１ｃを有するＬ状の脚部材を溶接してもよい。
【００２６】
上記構成の柵本体８１を天板２に取付ける支持体８２は、断面略Ｌ形のブロック状をなす弾性のある合成樹脂製の成形体で構成されている。この成形体の内面には、上記柵本体８１の脚部８１ｂと水平部８１ｃを密に嵌合する垂直溝部８２ａと該溝８２ａに連通した水平な溝８２ｂが形成されていると共に、水平溝部８２ｂの先に止着部の一例としてのネジ穴８２ｃが形成されている。止着部はネジ穴８２ｃに代えて水平溝部８２ｂの側に両面粘着パッチ、或は、接着剤を設けることがある。
【００２７】
本発明において柵本体８１とその支持体８２は、一例として次のような態様で天板２に取付けられる。
【００２８】
すなわち、まず柵本体８１におけるすべての脚部８１ｂと水平部８１ｃ（脚部８１ｂ’と水平部８１ｃ’を含む）に、それぞれの支持体８２を、その垂直溝８２ａと水平溝８２ｂを嵌合させて段取りをする。この段取りは、天板２を、支柱３Ｌ，３Ｒに架設する前に行うことが望ましい。
【００２９】
次いで、各支持体８２の垂直部位を天板２の立壁面（前面と左右側面）当てがいつつ当該支持体の水平部位をこの天板２の裏面に当てがう。このとき、天板２は裏返して柵取付台のような治具に載置して取付けを行うと便利である。
【００３０】
上記段取りにより取付け準備が整ったら、各支持体８２のネジ穴８２ｃにビス（図示せず）を立て動力ドライバなどの工具で当該各ビスを天板２の裏面にネジ込むと、図１に示す態様で、落下防止柵が天板２に装着されることとなる。両面粘着パッチや接着剤を用いるとビスのネジ込み作業が不要になる。
【００３１】
落下防止柵が上記のような装着状態になると、天板２の前半側外周上に設けられた支持体８２の弾性を有している垂直部位の外面は、天板２の前面や側面から、その支持体８２の肉厚分だけ突出しているので、この天板２が他の天板等に当接乃至衝突するときの緩衝材として作用する。両面粘着パッチや接着剤による止着では、前記緩衝作用が増強されることがある。
【００３２】
また、天板２の下面側に突出した各支持体８２の弾性を備えた水平部位の外面は、その天板２の下面より下方へ突出しているので、この天板２を下げるとき、当該天板２がカートターミナルの天板等に強く当接したり、衝突的に当接しても、その当接による衝撃を緩和したり、衝撃音の発生を抑止することができる。
【００３３】
本発明は以上の通りであるから、落下防止柵を備えたナースカートとしてきわめて有用である。
【符号の説明】
【００３４】
１          ナースカート
２          天板
３Ｌ，３Ｒ  支柱
４１〜４３  トレイ
５          ベースフレーム
６          ハンドル
７ａ，７ｂ  ガード
８１        落下防止柵本体
８２        支持体
【図１】
0005906126.tif 000002
【図２】
0005906126.tif 000003
【図３】
0005906126.tif 000004
【図４】
0005906126.tif 000005